(57)【要約】【課題】  記録する画像データを大幅に削減して、極めてデータ量の少ないダイジェスト記録を可能にする。【解決手段】  ＣＰＵ１１３は、システムバス１１８を介して信号系を制御して、デジタル放送を受信したときは、その映像情報の静止画を抽出するとともに、字幕情報を抽出する。そして、抽出された静止画と抽出された字幕情報とを字幕情報の進行に基づいて合成して、その合成画像を録画装置２に出力する。【選択図】  図１
2007006308.tif 000002
【特許請求の範囲】
【請求項１】
テレビ放送を受信する受信手段と、
前記受信手段によって受信されたテレビ放送の映像情報の静止画を抽出する画像抽出手段と、
前記受信手段によって受信されたテレビ放送の字幕情報を抽出する字幕抽出手段と、
前記画像抽出手段によって抽出された静止画と前記字幕抽出手段によって抽出された字幕情報とを当該字幕情報の進行に基づいて合成して合成画像を生成する画像合成手段と、
前記画像合成手段によって生成された合成画像を所定の録画装置に出力する画像出力手段と、
を具備することを特徴とするテレビ受信装置。
【請求項２】
前記画像抽出手段によって抽出された静止画の輪郭を抽出して線描画を生成する画像処理手段をさらに備え、前記画像合成手段は、当該線描画と字幕情報とを合成することを特徴とする請求項１に記載のテレビ受信装置。
【請求項３】
前記画像抽出手段によって抽出された静止画に基づいてアニメーション画像を生成する画像処理手段をさらに備え、前記画像合成手段は、当該アニメーション画像と字幕情報とを合成することを特徴とする請求項１に記載のテレビ受信装置。
【請求項４】
前記画像抽出手段は、前記受信手段によって新たな字幕情報が受信された場合に静止画を抽出することを特徴とする請求項１に記載のテレビ受信装置。
【請求項５】
前記画像抽出手段は、前記受信手段によって所定の情報量以上の字幕情報が受信された場合に静止画を抽出することを特徴とする請求項１に記載のテレビ受信装置。
【請求項６】
前記画像抽出手段は、前記受信手段によって異なるシーンの映像情報が受信されたた場合に静止画を抽出することを特徴とする請求項１に記載のテレビ受信装置。
【請求項７】
前記画像抽出手段は、所定の時間が経過するたびに静止画を抽出することを特徴とする請求項１に記載のテレビ受信装置。
【請求項８】
前記画像出力手段は、着脱可能な記録媒体に合成画像を出力して記録することを特徴とする請求項１に記載のテレビ受信装置。
【請求項９】
テレビ放送を受信するステップAと、
前記ステップAによって受信されたテレビ放送の映像情報の静止画を抽出するステップBと、
前記ステップＡによって受信されたテレビ放送の字幕情報を抽出するステップＣと、
前記ステップＢによって抽出された静止画と前記ステップＣによって抽出された字幕情報とを当該字幕情報の進行に基づいて合成して合成画像を生成するステップＤと、
前記ステップＤによって生成された合成画像を所定の録画装置に出力するステップＥと、
をコンピュータに実行させることを特徴とするテレビ受信処理のプログラム。
【請求項１０】
前記ステップＤは、前記ステップＢによって抽出された静止画の輪郭を抽出して線描画を生成し、当該生成した線描画と字幕情報と合成することを特徴とする請求項９に記載のテレビ受信処理のプログラム。
【請求項１１】
前記ステップＤは、前記ステップＢによって抽出された静止画に基づいてアニメーション画像を生成し、当該生成したアニメーション画像と字幕情報とを合成することを特徴とする請求項９に記載のテレビ受信処理のプログラム。
【請求項１２】
前記ステップＣは、前記ステップＡによって新たな字幕情報が受信された場合に静止画を抽出することを特徴とする請求項９に記載のテレビ受信処理のプログラム。
【請求項１３】
前記ステップＣは、前記ステップＡによって所定の情報量以上の字幕情報が受信された場合に静止画を抽出することを特徴とする請求項９に記載のテレビ受信処理のプログラム。
【請求項１４】
前記ステップＣは、前記ステップＡによって異なるシーンの映像情報が受信されたた場合に静止画を抽出することを特徴とする請求項９に記載のテレビ受信処理のプログラム。
【請求項１５】
前記ステップＣは、所定の時間が経過するたびに静止画を抽出することを特徴とする請求項９に記載のテレビ受信処理のプログラム。
【請求項１６】
前記ステップＥは、着脱可能な記録媒体に合成画像を出力して記録することを特徴とする請求項９に記載のテレビ受信処理のプログラム。
【発明の詳細な説明】
【技術分野】
【０００１】
本発明は、テレビ受信装置およびテレビ受信処理のプログラムに関し、特に、テレビ放送を受信してＤＶＤプレーヤやＶＴＲなどの録画再生装置に出力して記録させるテレビ受信装置およびテレビ受信処理のプログラムに関するものである。
【背景技術】
【０００２】
放送衛星および通信衛星を利用して既に放送が開始されているＢＳ放送およびＣＳ放送の他に、地上波デジタル放送が２００３年１２月から一部の地域で放送が開始され、２０１１年には従来のすべてのアナログ地上波放送がデジタル放送に切り替わる。この地上波デジタル放送では、ＯＦＤＭ（直交周波数分割多重）方式によって、映像情報、音声情報、および文字情報の複数種類の情報をＭＰＥＧ−２システムのトランスポート・ストリームで多重化して、６ＭＨｚの帯域を１３セグメントに分割して伝送する。放送される文字情報の中には、映像情報に関連して画面に表示される字幕情報がある。この字幕情報のサービスとして、例えば、ドラマ番組において登場人物の会話を字幕で同時に画面に表示することができる。
【０００３】
この字幕情報を利用して放送番組のダイジェスト記録を行う提案がいくつかなされている。ある提案の字幕放送記録装置および記録方法においては、字幕のある重要な画面の映像を記録する。すなわち、受信したデジタル信号から現在時刻、映像信号、字幕情報を分離し、分離した字幕情報から字幕表示時刻および字幕本体を解析する。そして、字幕表示時刻と現在時刻とが一致した瞬間の映像信号と字幕文とを合成して記録する。したがって、少ないデータ量でダイジェスト記録、再生することが可能になる。（特許文献１参照）
【特許文献１】特開２００２−３４４８７１号公報
【発明の開示】
【発明が解決しようとする課題】
【０００４】
しかしながら、上記特許文献１においては、字幕情報を受信している期間は常に動画の映像信号を記録するので、ドラマ番組などのように台詞が多い場合には、むしろ録画しない部分のほうが少なく、記録された画像データは相当なデータ量になってしまう。また、記録した画像データを再生する場合には、ＤＶＤプレーヤやＶＴＲなどの録画再生装置が必要であるので、携帯電話機や電子ブックなどのような可搬型の情報機器で再生することはできない。
本発明は、このような従来の課題を解決するためのものであり、字幕情報のサービスを利用することにより、記録する画像データを大幅に削減して、極めてデータ量の少ないダイジェスト記録を可能にすることを目的とする。また、再生メモリ容量の小さい着脱式の記録媒体にも記録することにより、携帯電話機や電子ブックなどのような可搬型の情報機器でも再生を可能にすることを目的とする。
【課題を解決するための手段】
【０００５】
請求項１に記載のテレビ受信装置は、テレビ放送を受信する受信手段（実施形態においては、図２のチューナ１０１その他の信号処理系に相当する）と、受信手段によって受信されたテレビ放送の映像情報の静止画を抽出する画像抽出手段（実施形態においては、図２の映像デコード部１０６およびＣＰＵ１１３の機能に相当する）と、受信手段によって受信されたテレビ放送の字幕情報を抽出する字幕抽出手段（実施形態においては、図２の文字情報デコード部１０５およびＣＰＵ１１３の機能に相当する）と、画像抽出手段によって抽出された静止画と字幕抽出手段によって抽出された字幕情報とを当該字幕情報の進行に基づいて合成して合成画像を生成する画像合成手段（実施形態においては、図２の画像合成部１０８およびＣＰＵ１１３の機能に相当する）と、画像合成手段によって生成された合成画像を所定の録画装置に出力する画像出力手段（実施形態においては、図２の画像出力部１１０およびＣＰＵ１１３の機能に相当する）と、を具備する構成になっている。
【０００６】
請求項１のテレビ受信装置において、請求項２に記載したように、画像抽出手段によって抽出された静止画の輪郭を抽出して線描画を生成する画像処理手段（実施形態においては、図２の画像処理部１０７に相当する）をさらに備え、画像合成手段は、当該線描画と字幕情報とを合成するような構成にしてもよい。
【０００７】
請求項１のテレビ受信装置において、請求項３に記載したように、画像抽出手段によって抽出された静止画に基づいてアニメーション画像を生成する画像処理手段（実施形態においては、図２の画像処理部１０７の変形例に相当する）をさらに備え、画像合成手段は、当該アニメーション画像と字幕情報とを合成するような構成にしてもよい。
【０００８】
請求項１のテレビ受信装置において、請求項４に記載したように、画像抽出手段は、受信手段によって新たな字幕情報が受信された場合に静止画を抽出するような構成にしてもよい。
【０００９】
請求項１のテレビ受信装置において、請求項５に記載したように、画像抽出手段は、受信手段によって所定の情報量以上の字幕情報が受信された場合に静止画を抽出するような構成にしてもよい。
【００１０】
請求項１のテレビ受信装置において、請求項６に記載したように、画像抽出手段は、受信手段によって異なるシーンの映像情報が受信されたた場合に静止画を抽出するような構成にしてもよい。
【００１１】
請求項１のテレビ受信装置において、請求項７に記載したように、画像抽出手段は、所定の時間が経過するたびに静止画を抽出するような構成にしてもよい。
【００１２】
請求項１のテレビ受信装置において、請求項８に記載したように、画像出力手段は、着脱可能な記録媒体（実施形態においては、図１のメモリカード６に相当する）に合成画像を出力して記録するような構成にしてもよい。
【００１３】
請求項９に記載のテレビ受信処理のプログラムは、テレビ放送を受信するステップAと、ステップAによって受信されたテレビ放送の映像情報の静止画を抽出するステップBと、ステップＡによって受信されたテレビ放送の字幕情報を抽出するステップＣと、ステップＢによって抽出された静止画と前記ステップＣによって抽出された字幕情報とを当該字幕情報の進行に基づいて合成して合成画像を生成するステップＤと、ステップＤによって生成された合成画像を所定の録画装置に出力するステップＥとを、コンピュータに実行させる構成になっている。
ステップＡないしステップＥは、実施形態においては、図２のＣＰＵ１１３の処理に相当する。
【００１４】
請求項９のテレビ受信処理のプログラムにおいて、請求項１０に記載したように、ステップＤは、ステップＢによって抽出された静止画の輪郭を抽出して線描画を生成し、当該生成した線描画と字幕情報と合成するような構成にしてもよい。
【００１５】
請求項９のテレビ受信処理のプログラムにおいて、請求項１１に記載したように、ステップＤは、ステップＢによって抽出された静止画に基づいてアニメーション画像を生成し、当該生成したアニメーション画像と字幕情報とを合成するような構成にしてもよい。
【００１６】
請求項９のテレビ受信処理のプログラムにおいて、請求項１２に記載したように、ステップＣは、ステップＡによって新たな字幕情報が受信された場合に静止画を抽出するような構成にしてもよい。
【００１７】
請求項９のテレビ受信処理のプログラムにおいて、請求項１３に記載したように、ステップＣは、ステップＡによって所定の情報量以上の字幕情報が受信された場合に静止画を抽出するような構成にしてもよい。
【００１８】
請求項９のテレビ受信処理のプログラムにおいて、請求項１４に記載したように、ステップＣは、ステップＡによって異なるシーンの映像情報が受信されたた場合に静止画を抽出するような構成にしてもよい。
【００１９】
請求項９のテレビ受信処理のプログラムにおいて、請求項１５に記載したように、ステップＣは、所定の時間が経過するたびに静止画を抽出するような構成にしてもよい。
【００２０】
請求項９のテレビ受信処理のプログラムにおいて、請求項１６に記載したように、ステップＥは、着脱可能な記録媒体（実施形態においては、図１のメモリカード６に相当する）に合成画像を出力して記録するような構成にしてもよい。
【発明の効果】
【００２１】
本発明によれば、字幕情報のサービスを利用することにより、記録する画像データを大幅に削減して、極めてデータ量の少ないダイジェスト記録を可能にするという効果が得られる。また、再生メモリ容量の小さい着脱式の記録媒体にも記録することにより、携帯電話機や電子ブックなどのような可搬型の情報機器でも再生を可能にするという効果が得られる。
【発明を実施するための最良の形態】
【００２２】
以下、本発明によるテレビ受信装置の実施形態について、図１ないし図５を参照して説明する。
図１は、本発明によるテレビ受信装置を用いた画像記録再生システムの構成を示す図である。図１に示すように、このシステムは、テレビ受信装置１、録画装置２、プリンタ３、携帯電話機４、電子ブック５で構成される。テレビ受信装置１は、ＢＳデジタル放送、ＣＳデジタル放送、地上波デジタル放送、デジタルＣＡＴＶ（ケーブルテレビ）放送を受信する。録画装置２は、テレビ受信装置１から出力される映像信号、音声信号、および文字情報を設定された録画モードに応じた形態で記録する。また、録画装置２は、録画モードが本発明の特徴である静止画のモードである場合には、着脱可能なメモリカード６に静止画および文字情報を記録する。
なお、録画装置２内のビデオディスクやビデオテープに静止画および文字情報を記録する構成にしてもよいし、テレビ受信装置１にメモリカード６を着脱可能な構成とし、静止画のモードである場合には、テレビ受信装置１が直接メモリカード６に静止画および文字情報を記録する構成にしてもよい。
【００２３】
プリンタ３、携帯電話機４、電子ブック５は、それぞれメモリカード６を装着できる構成になっている。したがって、プリンタ３は、メモリカード６に記憶されている静止画および文字情報をプリントアウトすることができる。同様に、携帯電話機４は、メモリカード６に記憶されている静止画および文字情報をディスプレイに表示して視聴することができる。電子ブック５もまた、メモリカード６に記憶されている静止画および文字情報をディスプレイに表示して視聴することができる。
【００２４】
なお、図１において、点線でしめす接続のように、録画装置２とプリンタ３、携帯電話機４、電子ブック５とをそれぞれ接続可能な構成にして、メモリカード６を仲介することなく、録画装置２からプリンタ３、携帯電話機４、電子ブック５のそれぞれに対して静止画および文字情報を送信することも可能である。さらにこの場合において、ブルートゥース通信などの近距離無線通信によって静止画および文字情報を送信することも可能である。
【００２５】
図２は、実施形態における図１のテレビ受信装置１の内部構成を示すブロック図である。テレビ受信装置１は、信号処理系と制御系とがシステムバスによって接続された構成になっている。すなわち、図２に示すように、信号処理系は、チューナ１０１、復調部１０２、分離部１０３、音声デコード部１０４、文字情報デコード部１０５、映像デコード部１０６、画像処理部１０７、画像合成部１０８、表示部１０９、画像出力部１１０、サウンドシステム１１１、音声出力部１１２などで構成されている。制御系は、ＣＰＵ１１３、ＲＯＭ１１４、主メモリ１１５、フラッシュメモリ１１６、入出力インタフェース（Ｉ／Ｏ）１１７で構成されている。信号処理系の中でＣＰＵ１１３によって制御される各部、および、制御系の各部はシステムバス１１８を介してＣＰＵ１１３に接続されている。
【００２６】
信号処理系において、チューナ１０１はアンテナを介して受信したデジタル放送の中から１つのチャンネルのデジタル放送を選択し、搬送波を除去して圧縮符号化された音声信号、映像信号、文字情報などのトランスポート・ストリーム（ＴＳ）のデジタル信号を復調部１０２に出力する。復調部１０２は、チューナ１０１から出力されたデジタル信号を復調して、分離部１０３に出力する。分離部１０３は、復調部１０２から出力されたデジタル信号を音声信号、文字情報、および映像信号に分離して出力する。
【００２７】
文字情報デコード部１０５は、分離部１０３で分離された文字情報を復号して出力する。同様に、映像デコード部１０６は、分離部１０３で分離された映像信号を復号して出力する。画像処理部１０７は、映像デコード部１０６から出力された映像信号を動画の形態で出力するとともに、ＣＰＵ１１３の制御に応じた画像処理を行う。画像合成部１０８は、文字情報デコード部１０５から出力された字幕情報と、画像処理部１０７から出力された映像信号の動画を合成して表示部１０９に出力する。また、画像合成部１０８は、ＣＰＵ１１３の制御に応じて、通常の録画モードの場合には、動画と字幕情報とを合成して画像出力部１１０に出力し、本発明による特殊な録画モードの場合には、静止画又は静止画から輪郭を抽出した線描画と字幕情報とを合成して画像出力部１１０に出力する。音声デコード部１０４は、分離部１０３で分離された音声信号を復号して、Ｄ／Ａ変換回路、増幅回路、スピーカなどからなるサウンドシステム１１１に出力するとともに、音声出力部１１２に出力する。音声出力部１１２および映像出力部１１０は、録画モードの際に、音声信号および映像信号と字幕情報とが合成された画像信号をデジタル信号として図１の録画装置２に送信する。
【００２８】
制御系において、ＲＯＭ１１４は、ＣＰＵ１３によって実行されるプログラム、および初期データをあらかじめ記憶している。主メモリ１１５は、ＣＰＵ１１３によって処理される各種のデータを一時的に記憶するエリアを有するとともに、プログラムの実行に必要な各種のフラグやレジスタのエリアを有する。フラッシュメモリ１１６は、電源オフ後もデータを保持する半導体メモリであり、録画予約などの設定データを記憶する。また、図１に示した着脱可能なメモリカード６によってフラッシュメモリ１１６を構成してもよい。Ｉ／Ｏ１１７は、リモコンなどの操作部からの操作データを受信してＣＰＵ１１３に入力する。
【００２９】
次に、図１の録画再生システムの動作について、図３に示すＣＰＵ１１３のフローチャートおよび図４、図５に示す表示画面に基づいて説明する。
Ｉ／Ｏ１１７を介してリモコンなどの操作部からダイジェスト録画の指令が入力されたときは、メインルーチン（図示せず）から図３の処理に遷移する。まず、ダイジェスト録画の指令に応じて閲覧様式を選択する（ステップＳ１）。閲覧様式には、静止画又は線描画がある。選択した内容が線描画であるか否かを判別し（ステップＳ２）、線描画である場合には、フラグＬＦを１にセットする（ステップＳ３）。ＬＦを１にセットした後、又は、選択した内容が線描画でなく静止画でＬＦが０ある場合には、録画を開始する（ステップＳ４）。
【００３０】
そして、ＬＦが１であるか否かを判別し（ステップＳ５）、ＬＦが０である場合には、静止画を記録する（ステップＳ６）。ＬＦが１である場合には、静止画の輪郭を抽出し（ステップＳ７）、線描画を記録する（ステップＳ８）。静止画又は線描画の記録を開始した後、タイマーをリセットする（ステップＳ９）。タイマーのリセットによって、レジスタＴが０にクリアされ、この後はタイマインタラプトに応じてＴの値が０からインクリメントされる。
【００３１】
次に、静止画又は線描画を記録するトリガとなる以下のイベントを監視する。字幕が発生したか否かを判別し（ステップＳ１０）、字幕が発生したときは、その字幕を記録して（ステップＳ１１）、ステップＳ５に移行する。字幕の発生がない場合には、映像のシーンが変化したか否かを判別し（ステップＳ１２）、シーンが変化したときは、ステップＳ５に移行する。シーンが変化しない場合には、時間の経過によってレジスタＴの値が所定値Ｔ１に達したか否かを判別し（ステップＳ１３）、Ｔの値がＴ１に達したときは、ステップＳ５に移行する。
【００３２】
ステップＳ５に移行した後は、再びＬＦの値に応じて静止画又は線描画を記録する処理を繰り返す。静止画又は線描画を記録するトリガとなるいずれのイベントも検出しない場合、すなわち、ステップＳ１０において字幕の発生がなく、ステップＳ１２において映像のシーンが変化せず、かつ、ステップＳ１３においてＴの値がＴ１に達しない場合には、Ｉ／Ｏ１１７を介してリモコンなどの操作部から録画終了の指令が入力されたか否かを判別する（ステップＳ１４）。録画終了の指令が入力されない場合には、ステップＳ１０に移行してイベントの検出を続行するが、録画終了の指令が入力されたときは、このフローチャートを終了してメインルーチンに戻る。
【００３３】
図４において、画面ａは、画像処理部１０７によって抽出された静止画を示している。画面ｂは、フラグＬＦが０の場合に、静止画と字幕とを合成した合成画像を示している。この合成画像は、字幕の発生があったとき、映像のシーンが変化したとき、又は、Ｔの値がＴ１に達したとき、すなわち、静止画を記録するトリガとなるイベントを検出するたびに合成されてメモリカード６に記憶される。
【００３４】
図５において、画面ａは、図４と同様に、画像処理部１０７によって抽出された静止画を示している。画面ｂは、フラグＬＦが１の場合に、線描画と字幕とを合成した合成画像を示している。この合成画像は、字幕の発生があったとき、映像のシーンが変化したとき、又は、Ｔの値がＴ１に達したとき、すなわち、線描画を記録するトリガとなるイベントを検出するたびに合成されてメモリカード６に記憶される。
【００３５】
したがって、図４又は図５の合成画像をメモリカード６に記憶した後、そのメモリカード６を録画装置２から取り外して、図１のプリンタ３に装着して容易にプリントアウトすることができる。この場合には、外出先の任意の場所、例えば、電車の中において、あたかもグラビア付きの雑誌を見るような感覚でプリントアウトしたドラマを楽しむことができる。
【００３６】
あるいは、図４又は図５の合成画像をメモリカード６に記憶した後、そのメモリカード６を録画装置２から取り外して、図１の携帯電話機４に装着してそのディスプレイに表示することができる。そして、電車の中などでカーソルスイッチなどの操作によって、画面を順に切り替えながらドラマを楽しむことができる。
【００３７】
同様に、図４又は図５の合成画像をメモリカード６に記憶した後、そのメモリカード６を録画装置２から取り外して、図１の電子ブック５に装着してそのディスプレイに表示して、画面を順に切り替えながらドラマを楽しむことができる。
【００３８】
さらに、録画装置２のビデオディスク若しくはビデオテープに記録した合成画像、又は、録画装置２若しくはテレビ受信装置１に装着したメモリカード６に記録した合成画像を再生して、テレビ受信装置１の表示部１０９に表示することも可能である。
【００３９】
このように、上記実施形態によれば、ＣＰＵ１１３は、システムバス１１８を介して信号系を制御して、デジタル放送を受信したときは、その映像情報の静止画を抽出するとともに、字幕情報を抽出する。そして、抽出された静止画と抽出された字幕情報とを字幕情報の進行に基づいて合成して、その合成画像を録画装置２に出力する。
したがって、記録する画像データを大幅に削減して、極めてデータ量の少ないダイジェスト記録を可能にするとともに、再生メモリ容量の小さい着脱式の記録媒体にも記録できるので、携帯電話機４や電子ブック５などのような可搬型の情報機器でも再生を可能にする。
【００４０】
さらに、静止画又は線描画の記録の際に字幕情報の時刻を記録し、静止画又は線描画の記録と同時進行で、録画装置２のビデオディスクやビデオテープに記録した動画を再生する場合に、携帯電話機４や電子ブック５などのような可搬型の情報機器に表示して再生した静止画又は線描画およびその時刻をインデックスにして、詳細に視聴したい動画の部分を容易に検索することができる。
【００４１】
なお、上記実施形態においては、画像処理部１０７において、静止画の輪郭を抽出して線描画を生成する構成にしたが、さらに生成した線描画又は静止画に基づいて、アニメーション画像を生成する構成も可能である。この場合において、ＲＯＭ１１４にアニメーション画像の元となる複数種類のエレメント（部品）画像を用意し、自動的又はユーザの編集操作に応じてアニメーション画像を生成する。また、生成したアニメーション画像を記憶したメモリカード６を携帯電話機４に装着すれば、著作権の使用許諾が必要であるが、他の携帯電話装機に送信することも可能である。
さらに、上記実施形態においては、デジタル放送を受信するテレビ受信装置を例に採って本発明を説明したが、本発明のテレビ受信装置およびテレビ受信処理のプログラムは、ＮＴＳＣ方式のクローズドキャプションに対しても同様の手順で適用可能である。
【００４２】
また、上記各実施形態においては、あらかじめテレビ受信装置１内のＲＯＭ１１４に記憶されたプログラムをＣＰＵ１１３が実行するテレビ受信装置の発明について説明したが、メモリカード６又はその他の外部記憶媒体であるフレキシブルディスク（ＦＤ）、ＣＤ、ＭＤに記録されているプログラムをフラッシュメモリ１１６などの不揮発性のメモリにインストールするか、又は、インターネットなどのネットワークからダウンロードしたプログラムを不揮発性メモリにインストールして、そのプログラムをＣＰＵ１１３によって実行することも可能である。この場合には、プログラムの発明やそのプログラムを記録した記録媒体の発明を実現できる。
【００４３】
すなわち、本発明によるテレビ受信処理のプログラムは、テレビ放送を受信するステップAと、前記ステップAによって受信されたテレビ放送の映像情報の静止画を抽出するステップBと、前記ステップＡによって受信されたテレビ放送の字幕情報を抽出するステップＣと、前記ステップＢによって抽出された静止画と前記ステップＣによって抽出された字幕情報とを当該字幕情報の進行に基づいて合成して合成画像を生成するステップＤと、前記ステップＤによって生成された合成画像を所定の録画装置に出力するステップＥと、をコンピュータに実行させる。
【００４４】
前記ステップＤは、前記ステップＢによって抽出された静止画の輪郭を抽出して線描画を生成し、当該生成した線描画と字幕情報と合成する。
【００４５】
前記ステップＤは、前記ステップＢによって抽出された静止画に基づいてアニメーション画像を生成し、当該生成したアニメーション画像と字幕情報とを合成する。
【００４６】
前記ステップＣは、前記ステップＡによって新たな字幕情報が受信された場合に静止画を抽出する。
【００４７】
前記ステップＣは、前記ステップＡによって所定の情報量以上の字幕情報が受信された場合に静止画を抽出する。
【００４８】
前記ステップＣは、前記ステップＡによって異なるシーンの映像情報が受信されたた場合に静止画を抽出する。
【００４９】
前記ステップＣは、所定の時間が経過するたびに静止画を抽出することを特徴とする請求項９に記載のテレビ受信処理のプログラム。
【００５０】
前記ステップＥは、着脱可能な記録媒体に合成画像を出力して記録する。
【図面の簡単な説明】
【００５１】
【図１】本発明の実施形態におけるテレビ受信装置を利用した録画再生システムの構成を示す図。
【図２】図１のテレビ受信装置の内部構成を示すブロック図。
【図３】図２のテレビ受信装置の動作を示すＣＰＵのフローチャート。
【図４】静止画および静止画と字幕との合成画像を示す図。
【図５】静止画および線描画と字幕との合成画像を示す図。
【符号の説明】
【００５２】
１  テレビ受信装置
２  録画装置
３  プリンタ
４  携帯電話機
５  電子ブック
６  メモリカード
１０１  チューナ
１０２  復調部
１０３  分離部
１０４  音声デコード部
１０５  文字情報デコード部
１０６  映像デコード部
１０７  画像処理部
１０８  画像合成部
１０９  表示部
１１０  画像出力部
１１１  サウンドシステム
１１２  音声出力部
１１３  ＣＰＵ
１１４  ＲＯＭ
１１５  主メモリ
１１６  フラッシュメモリ
１１７  入出力インタフェース
１１８  システムバス
【図１】
2007006308.tif 000003
【図２】
2007006308.tif 000004
【図３】
2007006308.tif 000005
【図４】
2007006308.tif 000006
【図５】
2007006308.tif 000007